(57)【要約】【課題】補助照明負荷の点灯方法に工夫を凝らすことにより、照明器具の生産者やユーザー等、種々の関係者に利便性をもたらす。【解決手段】照明器具２００は、外部電源としての商用電源１０により点灯する主照明負荷１６０と、主照明負荷１６０の非点灯時に点灯可能な補助照明負荷６０と、商用電源１０からの電力供給が可能な時に商用電源１０からの電力供給を受けて充電可能であるとともに、商用電源１０からの電力供給が不可能な時に補助照明負荷６０に電力を供給する補助照明用電源としての電解コンデンサ２４ａ、２４ｂ、２４ｃと、電解コンデンサ２４ａ、２４ｂ、２４ｃによる電力供給がされない時に、商用電源１０からの電力供給に基づき補助照明負荷６０に電力を供給するための経路を確保する制御部７０と、を備える。【選択図】図３
2015136250.tif 000002
【特許請求の範囲】
【請求項１】
外部電源により点灯する主照明負荷と、
前記主照明負荷の非点灯時に点灯可能な補助照明負荷と、
前記外部電源からの電力供給が可能な時に当該外部電源からの電力供給を受けて充電可能であるとともに、当該外部電源からの電力供給が不可能な時に前記補助照明負荷に電力を供給する補助照明用電源と、
前記補助照明用電源による電力供給がされない時に、前記外部電源からの電力供給に基づき前記補助照明負荷に電力を供給するための経路を確保する制御部と、
を備える照明器具。
【請求項２】
請求項１に記載の照明器具であって、
前記経路には前記外部電源と前記補助照明負荷を接続するスイッチング素子が設けられ、
前記制御部は、前記補助照明用電源による前記補助照明負荷への電力供給時に前記スイッチング素子をオフ状態とし、前記外部電源と前記補助照明負荷の接続を遮断する、照明器具。
【請求項３】
請求項２に記載の照明器具であって、
前記スイッチング素子は、前記主照明負荷を点灯させる主照明用制御回路にも接続され、
前記制御部は、前記主照明負荷の非点灯時に前記スイッチング素子をオフ状態とし、前記外部電源と前記主照明用制御回路の接続を遮断する、照明器具。
【請求項４】
請求項２または３に記載の照明器具の検査方法であって、
前記制御部から前記スイッチング素子を閉状態とする信号を送信して当該スイッチング素子を閉状態とし、前記外部電源と前記補助照明負荷の接続を確保して当該補助照明負荷の点灯の有無を確認可能な状態にする照明器具の検査方法。
【発明の詳細な説明】
【技術分野】
【０００１】
本発明は、補助照明負荷を有する照明器具およびその検査方法に関する。
【背景技術】
【０００２】
従来から、主照明以外の誘導灯装置や残光照明負荷等と呼ばれる補助照明負荷を点灯させる照明器具が提案されている（特許文献１および２参照）。このような補助照明負荷は、商用電源等の停電時等、専ら非常時における光源確保のため用いられる。
【先行技術文献】
【特許文献】
【０００３】
【特許文献１】特開２０１１−９１０５３号公報
【特許文献２】特開２０１３−８０７０２号公報
【発明の概要】
【発明が解決しようとする課題】
【０００４】
ところで、照明器具の出荷前においては品質確認のため点灯確認の検査が実施される。上述した補助照明負荷を備えた照明器具に関しては、補助照明負荷についても点灯確認の検査が実施されるのが一般的である。
【０００５】
しかしながら、補助照明負荷の電源としては、電解コンデンサのように特別に照明器具内に設けられた電源を用いるのが一般的であり、補助照明負荷の点灯確認においては、当該電源を充電する必要がある。しかしながら、この様な特別な電源は所定の充電時間を要するため、照明器具の生産性を低下させる。このような生産性の低下を回避するために、当該電源用の特別な急速充電器を導入することが考えられるが、急速充電器の導入は生産コストを上昇させる。
【０００６】
本発明は、補助照明負荷を有する照明器具において、補助照明負荷の点灯方法に工夫を施すことにより、照明器具の生産者やユーザー等、種々の関係者に利便性をもたらすことを目的とする。
【課題を解決するための手段】
【０００７】
本発明の照明器具は、外部電源により点灯する主照明負荷と、前記主照明負荷の非点灯時に点灯可能な補助照明負荷と、前記外部電源からの電力供給が可能な時に当該外部電源からの電力供給を受けて充電可能であるとともに、当該外部電源からの電力供給が不可能な時に前記補助照明負荷に電力を供給する補助照明用電源と、前記補助照明用電源による電力供給がされない時に、前記外部電源からの電力供給に基づき前記補助照明負荷に電力を供給するための経路を確保する制御部と、を備える。
【０００８】
本発明の照明器具の一態様として例えば、前記経路には前記外部電源と前記補助照明負荷を接続するスイッチング素子が設けられ、前記制御部は、前記補助照明用電源による前記補助照明負荷への電力供給時に前記スイッチング素子をオフ状態とし、前記外部電源と前記補助照明負荷の接続を遮断する。
【０００９】
本発明の照明器具の一態様として例えば、前記スイッチング素子は、前記主照明負荷を点灯させる主照明用制御回路にも接続され、前記制御部は、前記主照明負荷の非点灯時に前記スイッチング素子をオフ状態とし、前記外部電源と前記主照明用制御回路の接続を遮断する。
【００１０】
本発明の照明器具の検査方法の一態様として例えば、前記制御部から前記スイッチング素子を閉状態とする信号を送信して当該スイッチング素子を閉状態とし、前記外部電源と前記補助照明負荷の接続を確保して当該補助照明負荷の点灯の有無を確認可能な状態にする照明器具の検査方法が提供される。
【発明の効果】
【００１１】
本発明によれば、補助照明負荷の点灯方法に工夫を凝らすことにより、照明器具の生産者やユーザー等、種々の関係者に利便性をもたらされる。
【図面の簡単な説明】
【００１２】
【図１】（Ａ）は本発明の一実施形態に係る照明器具の断面図であり、（Ｂ）は下方から見た底面図
【図２】実施形態の照明器具の回路図
【図３】実施形態の照明器具の補助照明回路を主として示す回路図
【図４】照明器具の通常動作モードおよび非常時動作モードにおける電流の流れを示す回路図
【図５】照明器具の三つの動作モードにおける主要部分の状態をまとめた表
【発明を実施するための形態】
【００１３】
以下、本発明の一実施形態に係る照明器具について図面を参照して説明する。図１（Ａ）および（Ｂ）に示すように、実施形態の照明器具２００は、被取付部である天井面２１１等に取り付けられて主に下方を照明するのに適する。
【００１４】
照明器具２００は、天井面２１１に取り付けられている引っ掛けシーリング２１２に取り付けるための取付部材２２１を中央に有する、例えば円板状の器具本体２２０を有する。また、器具本体２２０の中央部における取付部材２２１の近傍には、常夜灯（図示せず）が設けられている。
【００１５】
なお、器具本体２２０の外周には、例えば円環状の枠体２２２が設けられており、枠体２２２には、詳細を後述する発光素子として例えばＬＥＤを光源とする発光装置である補助照明負荷６０が設けられている。
【００１６】
器具本体２２０の上側（すなわち、天井面２１１側）には、間接光源であるアッパーユニット２３０が設けられている。また、器具本体２２０の下側（すなわち、照明方向側）には、主光源である図示せぬロアーユニットが設けられている。
【００１７】
ロアーユニットは、器具本体２２０の円形を複数個に分割した部分円弧状の図示せぬ基板を有しており、各基板には、後述する種々の回路、負荷等が実装される。ロアーユニットの前方には、ロアーユニットが発した光を受けて光を拡散する透光性のパネル２５０が設けられている。パネル２５０は、枠体２２２に取り付けられる。パネル２５０は、下方に湾曲した曲面形状を呈している。また、枠体２２２の表面（下面）には、センサ用開口２４１、動作表示ランプ用開口２４２および状態表示ランプ用開口２４３が設けられている。  
【００１８】
図２は、実施形態の照明器具２００の回路図を示す。照明器具２００の回路部分は、電源入力回路１４０と、主照明用制御回路１５０と、主照明負荷１６０と、電源制御回路１７０と、補助照明用制御回路１３０と、補助照明負荷６０とを含む。
【００１９】
電源入力回路１４０は、商用電源１０の如き外部電源から電力の供給を受け、照明器具２００の全体を駆動する電源電圧を作りだし、電力線１４１を介して、各部に電力を供給する回路である。主照明用制御回路１５０は、通常時の照明で使用される主照明負荷１６０の点灯・非点灯を制御する回路であり、ＰＦＣ（Power Factor Correction）主回路１５１と、第１の降圧チョッパ回路１５２と、第２の降圧チョッパ回路１５３とを含む。ＰＦＣ主回路１５１は力率改善によりピーク電力を抑えて省エネルギーを実現する。第１の降圧チョッパ回路１５２、第２の降圧チョッパ回路１５３は、それぞれ対応する主照明負荷１６０の白色発光素子（ＬＥＤ；Light Emitting Device）１６１ａ、電球色発光素子（ＬＥＤ）１６１ｂに適合するよう電圧を降圧する回路である。
【００２０】
電源制御回路１７０は、ＩＰＤ（Intelligent Power Device）等によって構成され、後に説明するように、（i）補助照明用制御回路１３０の制御部７０の電源、（ii）主照明用制御回路１５０の電源、（iii）照明器具２００の検査時における補助照明負荷６０の強制点灯用の電源、等として用いられる。また電源制御回路１７０は、リモコン操作とは別に照明器具２００の本体において照明状態を切り替え可能な壁スイッチ操作にて使用される電解コンデンサ１７１ａ、１７１ｂを備えている。
【００２１】
図３は、図２にも示した補助照明用制御回路１３０と、補助照明負荷６０とを更に詳細に示した図である。本図は特に、照明器具２００の通常時の照明に使用される主照明負荷１６０とは異なり、主照明負荷１６０非点灯時に点灯可能な補助照明負荷６０を制御する構成を主に示す。
【００２２】
通常時の照明においては、照明器具２００は、商用電源１０からの電力を受けて、主照明用制御回路１５０によって駆動する主照明負荷１６０が点灯することにより照明機能を発揮する。そして、停電時等、商用電源１０からの電源供給が不可能となった場合、主照明負荷１６０の点灯は不可能となる。このような不測の事態の発生に備え、本実施形態の照明器具２００は、補助照明負荷６０を備えており、停電等の不測事態の発生時においても照明が可能となっている。
【００２３】
照明器具２００の補助照明用制御回路１３０は、充電回路部２０と、非常時出力回路部４０と、コネクタ５０と、制御部（マイクロコンピュータ）７０と、を含む。
【００２４】
充電回路部２０は、通常時、すなわち商用電源１０、電源入力回路１４０のような外部電源からの電力供給が可能な時に、これらの電件から図示せぬダイオードブリッジ、コンデンサ１１の作用を介して整流された電力の供給を受け、補助照明負荷６０の点灯に必要な電力を保持する。充電回路部２０は、４つの直列抵抗からなる電圧降下部２１と、二つのツェナーダイオード２２ａ、２２ｂと、ダイオード２３と、三つの電解コンデンサ２４ａ、２４ｂ、２４ｃとを含む。
【００２５】
外部電源から供給された電力は電圧降下部２１によって適当な電圧までの電圧降下作用を受け、ツェナーダイオード２２ａおよび２２ｂによって、当該電圧の値でクランプされ、安定状態に置かれる。ダイオード２３によって逆方向の電流が防止されるので、電解コンデンサ２４ａ、２４ｂ、２４ｃには、図の上部をプラス極側として電荷が充電され、保持される。電解コンデンサ２４ａ、２４ｂ、２４ｃは、外部電源からの電力供給が不可能な時に補助照明負荷６０に電力を供給する補助照明用電源としての役割を果たす。ただし、補助照明用電源の構成はこのような電解コンデンサの例には限定されない。
【００２６】
ダイオード９１を介して充電回路部２０と接続される非常時出力回路部４０は、第１の抵抗４１と、第２の抵抗４２と、第３の抵抗４３と、第４の抵抗４４と、ＭＯＳＦＥＴ（metal-oxide-semiconductor field-effect transistor）から構成される第２のスイッチング素子４５と、コンデンサ４６と、ＩＧＢＴ（Insulated Gate Bipolar Transistor）から構成される第１のスイッチング素子４７と、コンデンサ４８とを含む。
【００２７】
二つの第２のスイッチング素子４５、第１のスイッチング素子４７は、後述する制御部７０からの駆動信号に応じて、互いの異なるオンまたはオフ状態をとり、補助照明負荷６０の点灯・非点灯を制御する。コンデンサ４６、コンデンサ４８はそれぞれ、第２のスイッチング素子４５、第１のスイッチング素子４７のノイズによる誤操作の防止のために設けられている。第１の抵抗４１は、補助照明負荷６０の電流を制限している。第２の抵抗４２と、第３の抵抗４３と、第４の抵抗４４はそれぞれの分圧作用の組み合わせにより、供給された電力の電圧を降下させ、第２のスイッチング素子４５のゲート閾値電圧付近の値に調製する。第２の抵抗４２、第３の抵抗４３、第４の抵抗４４の抵抗値は、補助照明負荷６０の駆動電圧（後述する発光素子６１ａの駆動電圧と発光素子６１ｂの駆動電圧の和）に第２のスイッチング素子４５をオンにできるような値に設定されることが好ましい。このような構成下では、供給された電力の電圧エネルギーの限界まで補助照明負荷６０の点灯に使用できるからである。
【００２８】
コネクタ５０を介して非常時出力回路部４０と接続される補助照明負荷６０は、二つの直列接続された発光素子（ＬＥＤ）６１ａ、６１ｂを含む。補助照明負荷６０は、補助照明用制御回路１３０が形成される基板とは異なる基板によって形成される場合、コネクタ５０が必要となる。
【００２９】
制御部７０はマイクロコンピュータ（マイコン）によって構成されている。制御部７０は、後述するように、商用電源１０等の外部電源の状態に応じて、異なる駆動信号を生成し、発信する。
【００３０】
図２に示すように、制御部７０は、レギュレータ７１を介して電源制御回路１７０に常時接続されており、制御部７０は電源制御回路１７０から電力の供給を常時受けている（上記（i）の電源制御回路１７０の役割）。したがって、制御部７０は、後述する通常動作モードの主照明消灯時のような待機時においても、リモコン操作や壁スイッチ切り替え操作などを検知することが可能である。これについては後述する。
【００３１】
また、電源制御回路１７０は、図２に示すように、第３のスイッチング素子９３を介して、主照明用制御回路１５０の第１の降圧チョッパ回路１５２、第２の降圧チョッパ回路１５３に接続され、電力を供給する（上記（ii）の電源制御回路１７０の役割）。ここで、第３のスイッチング素子９３は、制御部７０の駆動信号により操作可能であり、状況に応じて制御部７０は駆動信号を変化させ、第３のスイッチング素子９３の開状態と閉状態を切り替える。この操作により、第１の降圧チョッパ回路１５２、第２の降圧チョッパ回路１５３への電力供給の有無が切り替え可能となる。これについては後述する。
【００３２】
さらに、電源制御回路１７０は、図２、図３に示すように、第３のスイッチング素子９３、ダイオード９２を介して、充電回路部２０の後段に配置されたダイオード９１と非常時出力回路部４０との間の中間点に接続されている。したがって電源制御回路１７０は、非常時出力回路部４０への電力供給が可能となっている。上述したように第３のスイッチング素子９３は、制御部７０の駆動信号により操作可能であり、状況に応じて制御部７０は駆動信号を変化させ、第３のスイッチング素子９３の開状態と閉状態を切り替える。この操作により、非常時出力回路部４０への電力供給の有無が切り替え可能となる。この構成を利用して、照明器具２００の検査時等における補助照明負荷６０の強制点灯用の電源として電源制御回路１７０を用いることが可能となる（上記（iii）の電源制御回路１７０の役割）。これについては後述する。
【００３３】
次に、本実施形態の照明器具２００の動作モードを、（１）通常動作モード、（２）非常時動作モード、（３）検査時動作モードの三つに分けて説明する。
【００３４】
（１）通常動作モード
まず、照明器具２００の通常動作モードについて説明する、通常動作モードとは、停電等の不測事態が発生しておらず、商用電源１０からの電源供給が可能である状態での照明器具２００の動作である。
【００３５】
商用電源１０からの電力の供給を受け、当該電力の電圧が、電圧降下部２１によって下げられ、二つのツェナーダイオード２２ａ、２２ｂにより、所定値の電圧（例えば２０Ｖ）がクランプされる。このクランプ電圧により、電解コンデンサ２４ａ、２４ｂ、２４ｃが充電される。ただし、商用電源１０からの電源供給が可能である、すなわち商用電源１０がオンのとき、制御部７０は第１のスイッチング素子４７に対し、Ｈｉｇｈ（オン）の補助照明駆動信号を出力するため、第１のスイッチング素子４７はオン（閉）となる。この時、電源制御回路１７０または電解コンデンサ２４ａ、２４ｂ、２４ｃの充電電荷からの電流の流れは図４の点線矢印Ａで示す流れになる。そして、第２のスイッチング素子４５のゲートに印加される電圧は、ゲート閾値電圧より小さい値となるため、第２のスイッチング素子４５はオフ（開）となり、電流の流れは図４の点線矢印Ａで示す流れのみになり、補助照明負荷６０は点灯しない。
【００３６】
尚、通常動作モード時において、制御部７０から第３のスイッチング素子９３に出力されるスイッチング素子駆動信号には、Ｈｉｇｈ（オン）とＬｏｗ（オフ）の二通りがある。本実施形態においては、スイッチング素子駆動信号がＬｏｗの場合、第３のスイッチング素子９３はオンとなり、電源制御回路１７０からの電力は第１の降圧チョッパ回路１５２、第２の降圧チョッパ回路１５３に供給され、主照明負荷１６０が点灯する。スイッチング素子駆動信号がＨｉｇｈの場合、第３のスイッチング素子９３はオフとなり、電源制御回路１７０からの電力は図２に示すように、主照明負荷１６０とは別に用意される常夜灯回路、常夜灯（ＬＥＤ）に供給され、深夜に小さな明かりが点灯する。この切り替えは図示せぬリモコン操作、タイマーなどにより行われる。
【００３７】
本実施形態の第３のスイッチング素子９３は、入力信号がＬｏｗのスイッチング素子駆動信号の場合オンとなり、入力信号がＨｉｇｈのスイッチング素子駆動信号の場合オフとなる。このような第３のスイッチング素子９３の論理構成に対応するため、制御部７０にＮＰＮ型トランジスタ等を組みこみ、制御部７０本来の信号を反転させることが考えられる。ただし、スイッチング素子の論理構成は特に限定はされない。
【００３８】
（２）非常時動作モード
次に、照明器具２００の非常時動作モードについて説明する、非常時動作モードとは、停電等の不測事態が発生し、商用電源１０からの電源供給が不可である状態での照明器具２００の動作である。
【００３９】
商用電源１０からの電源供給が不可能となる、すなわち商用電源１０がオフとなったとき、制御部７０は電源制御回路１７０からレギュレータ７１を介した電力供給がなくなるので、電源喪失を検知する。上述したように、制御部７０は、レギュレータ７１を介して電源制御回路１７０に常時接続されており、制御部７０は電源制御回路１７０から電力の供給を常時受けている。そして、制御部７０は、電源制御回路１７０から通電状態を示すパルス状の信号（ＩＮＴ信号；通電信号）を受けており、この信号を受信している間、制御部７０は、商用電源１０の如き外部電源が確保されていることを把握する。
【００４０】
しかしながら、停電時等においては、商用電源１０の如き外部電源からの電力供給が遮断され、このとき、制御部７０へのＩＮＴ信号もオフとなる。このとき、所定時間（例えば３秒）経過後、制御部７０は第１のスイッチング素子４７に対し、Ｌｏｗの補助照明駆動信号を出力するため、第１のスイッチング素子４７はオフ（開）となる。このとき、三つの電解コンデンサ２４ａ、２４ｂ、２４ｃに充電された電荷を電源として、電流が図４の一点鎖線矢印Ｂに流れる。そして、第２の抵抗４２と、第３の抵抗４３と、第４の抵抗４４とから発生する第２のスイッチング素子４５のゲートに印加される電圧が第２のスイッチング素子４５のゲート閾値電圧以上となり、第２のスイッチング素子４５はオン（閉）となる。さらに、三つの電解コンデンサ２４ａ、２４ｂ、２４ｃに充電された電荷を電源として、電流が図４の二点鎖線矢印Ｃに沿って流れ、補助照明負荷６０が点灯する。このときの電力、電流の供給経路は、電解コンデンサ２４ａ、２４ｂ、２４ｃ→ダイオード９１→非常時出力回路部４０→補助照明負荷６０、である。
【００４１】
尚、本実施形態においては、非常時動作モードにおいて、制御部７０は、Ｈｉｇｈのスイッチング素子駆動信号を出力し、第３のスイッチング素子９３をオフ（開）としている。この操作は後に説明する。
【００４２】
（３）検査時動作モード
次に照明器具２００の検査時動作モードについて説明する。検査時動作モードとは、品質検査等のため市場への出荷前等においてなされる、照明器具２００の動作である。一般的には、主照明負荷１６０の点灯の可否に加え、補助照明負荷６０の点灯の可否も検査される。
【００４３】
補助照明負荷６０の点灯検査については固有の問題が存在する。補助照明負荷６０は、三つの電解コンデンサ２４ａ、２４ｂ、２４ｃを電源として用いるため、補助照明負荷６０を点灯させるためにはこれらの電解コンデンサを充電する必要が生ずる。この充電作業により、生産性が低下するという問題が発生する。このような生産性の低下を回避するために急速充電器を導入すれば生産コストが上昇する。電解コンデンサ２４ａ、２４ｂ、２４ｃの容量が大きいほど、発光素子６１ａ、６１ｂの数が多いほど、まだ要求生産タクトが短いほどこの問題は深刻となる。
【００４４】
そこで本実施形態においては、検査時動作モードにおいて、非常時動作モードとは異なり、三つの電解コンデンサ２４ａ、２４ｂ、２４ｃとは異なる補助照明負荷６０用の電源を確保し、当該電源を用いて瞬時に補助照明負荷６０を点灯させる。
【００４５】
例えば、出荷前の検査時に外部より（リモコンなどによる操作）制御部７０に所定の初期化信号を送信する。初期化信号を受信した制御部７０は、第１のスイッチング素子４７に対し、Ｌｏｗの補助照明駆動信号を出力し、第３のスイッチング素子９３にＬｏｗのスイッチング素子駆動信号を出力する。このとき、非常時動作モードと同様に、第１のスイッチング素子４７はオフとなり、第２のスイッチング素子４５はオンとなる。
【００４６】
また、Ｌｏｗのスイッチング素子駆動信号の受信により、第３のスイッチング素子９３がオンとなり、電源制御回路１７０から電力が供給され、強制的に補助照明負荷６０を点灯させることが可能となる。この様な強制点灯操作により、瞬時に補助照明負荷６０の点灯の可否を確認することが可能となる。
【００４７】
検査時動作モードにおいて、制御部７０は、補助照明用電源としての電解コンデンサ２４ａ、２４ｂ、２４ｃによる電力供給がされない時に、電源制御回路１７０、ひいては外部電源としての商用電源１０からの補助照明負荷６０への電力供給を可能とする。すなわち、検査時動作モードにおいては、主照明負荷１６０は使用されないが、補助照明負荷６０を点灯させるために電解コンデンサ２４ａ、２４ｂ、２４ｃを使用しない。制御部７０は、電解コンデンサ２４ａ、２４ｂ、２４ｃからの電力供給の経路を遮断しつつ、外部電源から補助照明負荷６０に電力を供給するための経路を確保する役割を果たす。具体的な操作として、第１のスイッチング素子４７がオフとなり、第２のスイッチング素子４５がオンとなり、第３のスイッチング素子９３がオンとなる。このときの電力、電流の供給経路は、電源制御回路１７０→第３のスイッチング素子９３→ダイオード９２→非常時出力回路部４０→補助照明負荷６０、である。
【００４８】
尚、ダイオード９１が電源制御回路１７０から見て充電回路部２０の電解コンデンサ２４ａ、２４ｂ、２４ｃの前段に配置され、電源制御回路１７０から電解コンデンサ２４ａ、２４ｂ、２４ｃの電流の流れが防止されている。もしダイオード９１が存在しない場合、停電等により商業電源１０がオフとなった場合、電源制御回路１７０の電解コンデンサ１７１ａ、１７１ｂから電解コンデンサ２４ａ、２４ｂ、２４ｃに電流が流れる可能性がある。この場合、電解コンデンサ１７１ａ、１７１ｂの保持電荷が急激に減少し、照明器具２００本体のスイッチ操作による照明切替動作が機能しなくなるおそれがある。本実施形態ではダイオード９１が存在することにより、電源制御回路１７０から電解コンデンサ２４ａ、２４ｂ、２４ｃへ電流が流れるのを防止できるため、このような事象の発生を防止することができる。
【００４９】
また、ダイオード９２が電源制御回路１７０から見て充電回路部２０の電解コンデンサ２４ａ、２４ｂ、２４ｃの前段に配置され、電解コンデンサ２４ａ、２４ｂ、２４ｃ充電電流が電源制御回路１７０へ逆流するのを防止している。
【００５０】
ところで、非常時動作モードにおいて、第３のスイッチング素子９３がオン（閉）であり、電源制御回路１７０からの電力供給が可能であると仮定する。ここで、電解コンデンサ２４ａ、２４ｂ、２４ｃが未充電の状態で、かつ電源制御回路１７０の電解コンデンサ１７１ａ、１７１ｂが充電されている状態では、第３のスイッチング素子９３がオン（閉）である場合、電解コンデンサ１７１ａ、１７１ｂから電流が流れだし、補助照明負荷６０が点灯する。補助照明負荷６０に電流が流れることにより、電圧降下が発生し、補助照明負荷６０が消灯する。かつ、制御部７０の動作電圧を下回り、制御部７０のマイコン動作が停止する。すると、電流負荷がなくなり、再度電圧が上がり、制御部７０が再び動作し、補助照明負荷６０が再度点灯する。このような補助照明負荷６０の点灯・消灯の繰り返しは、電解コンデンサ１７１ａ、１７１ｂの電荷が喪失するまで繰り返され（例えば３回程度）、補助照明負荷６０の点灯のチラツキ（チャタリング）となる。このようなチラつきは好ましくない。
【００５１】
すなわち、本実施形態において電源制御回路１７０を検査時動作モードにおいて使用するため、電源制御回路１７０が非常時出力回路部４０、補助照明負荷６０に接続されている。非常時動作モードにおいてもこのような接続状態が維持されていると、上述したような問題が発生する。そのため、本実施形態においては、非常時動作モードにおいて第３のスイッチング素子９３をオフ状態にし、電源制御回路１７０と非常時出力回路部４０ひいては補助照明負荷６０との接続を遮断することにしている。
【００５２】
また、電源制御回路１７０は主照明負荷１６０を点灯させる主照明用制御回路１５０の電源も兼ねている。本実施形態においては、通常動作モードにおいて第３のスイッチング素子９３をオフ状態にした時、電源制御回路１７０と主照明用制御回路１５０の接続も遮断される構成が採られる。このような構成により、通常動作モードにおいて、電源制御回路１７０から主照明用制御回路１５０への電力供給も遮断され、電源制御回路１７０の電解コンデンサ１７１ａ、１７１ｂの充電電荷を有効に活用することができる。また、主照明用制御回路１５０がオフ状態になることにより、待機時の消費電力を抑えることができる。
【００５３】
図５は、照明器具２００の三つの動作モードにおける主要部分の状態をまとめた表である。制御部７０の駆動信号の状態により、非常時動作と出荷前動作モードの間では、第３のスイッチング素子９３のオン状態・オフ状態が変化し、これが補助照明負荷６０の電源の切り替え、言い換えると電力供給の経路の切り替えとなっている。
【００５４】
本実施形態では、検査時モードにおいて補助照明負荷６０を点灯可能な電力を、電源制御回路１７０を電源として、電解コンデンサ２４ａ、２４ｂ、２４ｃとは別に、第３のスイッチング素子９３を含む別経路を経由して供給する。したがって、検査時において充電時間を待たずに補助照明負荷６０の点灯の有無を確認できるため、生産性を下げることなく照明器具の製造を実施することが可能となる。さらには電解コンデンサ２４ａ、２４ｂ、２４ｃの使用時に必要な放電待ちの時間も短縮することができる。
【００５５】
更に本実施形態においては、上記構成に対応して、非常時動作モードにおいて第３のスイッチング素子９３をオフ状態にした時、電源制御回路１７０と主照明用制御回路１５０の接続も遮断する。非常時動作モードにおいて、電源制御回路１７０の電解コンデンサ１７１ａ、１７１ｂの充電電荷が、主照明用制御回路１５０側に漏れることを防ぐので、電解コンデンサ１７１ａ、１７１ｂの充電電荷をより長時間活用することができる。
【００５６】
上述した実施形態においては、照明器具２００の検査時動作モードについて説明した。ここでの検査時動作は、生産時や出荷前の点検・確認用途だけでなく、通常の使用時や、故障時の点検・確認時にも使用が可能である。また、検査時動作のみならず、店舗における展示用デモにおける特殊動作モード等にも、本発明の考え方を適用することも可能である。
【００５７】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【符号の説明】
【００５８】
２０    充電回路部
２１    電圧降下部
２２ａ、２２ｂ  ツェナーダイオード
２３    ダイオード
２４ａ、２４ｂ、２４ｃ  電解コンデンサ
４０    非常時出力回路部
４１    第１の抵抗
４２    第２の抵抗
４３    第３の抵抗
４４    第４の抵抗
４５    第２のスイッチング素子
４６    コンデンサ
４７    第１のスイッチング素子
４８    コンデンサ
５０    コネクタ
６０    補助照明負荷
６１ａ、６１ｂ  発光素子（ＬＥＤ）
７０    制御部（マイクロコンピュータ）
９１    ダイオード
９２    ダイオード
９３    第３のスイッチング素子
１３０  補助照明用制御回路
１４０  電源入力回路
１５０  主照明用制御回路
１６０  主照明負荷
１７０  電源制御回路
２００  照明器具
【図１】
2015136250.tif 000003
【図２】
2015136250.tif 000004
【図３】
2015136250.tif 000005
【図４】
2015136250.tif 000006
【図５】
2015136250.tif 000007